(57)【要約】【課題】水密性の向上を図ることができ、とくに高風圧時においても屋内への雨水の浸入を防止できる。【解決手段】枠体と、枠体の内部の屋外側に設けられた外障子、及び屋内側に設けられた内障子２Ｂを有する障子２と、を備え、内障子２Ｂの戸先框２４には、下框２２が突合せて接続される接続部において、下框２２の戸先側の端部２２ａが当接する戸先框２４の被当接面２４３ａに吸水性を有するシーラー２５が貼着され、シーラー２５が屋内外方向に分離された構成のサッシを提供する。【選択図】図５
2020122368.tif 000002
【特許請求の範囲】
【請求項１】
少なくとも屋内側を可動する１枚の障子を備えたサッシであって、
前記障子の戸先框には、下框が突合せて接続される接続部において、前記下框の戸先側の端部が当接する前記戸先框の被当接面に吸水性を有するシーラーが貼着され、
前記シーラーは、屋内外方向に分離されていることを特徴とするサッシ。
【請求項２】
前記シーラーが分離によって形成されるスリット部は、屋内外方向の位置で前記下框に形成される水抜き孔と重なっている請求項１に記載のサッシ。
【発明の詳細な説明】
【技術分野】
【０００１】
本発明は、サッシに関するものである。
【背景技術】
【０００２】
従来、例えば特許文献１に示されるような引き違い窓等のサッシの内障子では、戸先框と下框とを突き合わせて接続する樹脂とアルミの接続部において、止水性を確保するために、下框の戸先側の端面が当接する被当接面に吸水性を有するシーラーを貼着したものが知られている。
【先行技術文献】
【特許文献】
【０００３】
【特許文献１】特開２０１３−０６７９７９号公報
【発明の概要】
【発明が解決しようとする課題】
【０００４】
しかしながら、例えば台風のような高風圧が障子に作用すると、その風圧により下框が戸先框との接続部で脈動し、下框の戸先側の端部がシーラーに対して接した状態で屋内外方向に往復移動することになる。そのため、シーラーの屋外側で吸水した雨水が屋外側から屋内側に移動し、屋内に雨水が浸入するおそれがあった。そのため、このシーラー部分における水密性を高めることが求められており、その点で改善の余地があった。
【０００５】
そこで、本発明は、上記事情に鑑みてなされたものであり、水密性の向上を図ることができ、とくに高風圧時においても屋内への雨水の浸入を防止できるサッシを提供する。
【課題を解決するための手段】
【０００６】
上記目的を達成するために、本発明は以下の手段を採用している。
すなわち、本発明に係るサッシは、少なくとも屋内側を可動する１枚の障子を備えたサッシであって、前記障子の戸先框には、下框が突合せて接続される接続部において、前記下框の戸先側の端部が当接する前記戸先框の被当接面に吸水性を有するシーラーが貼着され、前記シーラーは、屋内外方向に分離されていることを特徴としている。
【０００７】
本発明に係るサッシによれば、戸先框に設けられるシーラーが屋内外方向に分離されているので、戸先框の屋外側に雨水が浸入し、シーラーの屋外側部分に吸水された雨水は、シーラーのうち屋外側部分から屋内側部分への移動が遮断され、水密性の向上を図ることができる。そのため、高風圧時においてもシーラーの屋内側部分が吸水されにくくなり、その屋内側部分から障子の屋内側に雨水が流入することを防止できる。
【０００８】
また、本発明に係るサッシでは、前記シーラーが分離によって形成されるスリット部は、屋内外方向の位置で前記下框に形成される水抜き孔と重なっていることが好ましい。
【０００９】
この場合には、シーラーの屋外側部分に吸水された水がシーラーを有しないスリット部を流下して下框の水抜き孔に流れ込みやすくなり、その水抜き孔より枠体の下枠に排水することができ、戸先框内に浸入した雨水を効率よく下框を通じて排水することができる。
【発明の効果】
【００１０】
本発明に係るサッシによれば、水密性の向上を図ることができ、とくに高風圧時においても屋内への雨水の浸入を防止できる。
【図面の簡単な説明】
【００１１】
【図１】本発明の一実施形態による引き違い窓を屋内側から見た正面図である。
【図２】図１に示す引き違い窓における外障子と内障子の横断面図である。
【図３】戸先框の横断面図である。
【図４】図３に示すＡ−Ａ線矢視図であって、戸先框を左右方向の内側から見た要部拡大図である。
【図５】戸先框にシーラーを設けた状態の側面図と、戸先框に接続される下框を上方から見た平面図とを同一面上で記載した図である。
【図６】戸先框にシーラーを設けた部分の要部拡大斜視図である。
【発明を実施するための形態】
【００１２】
以下、本発明の一実施形態によるサッシについて、図面に基づいて説明する。
【００１３】
図１に示すように、本実施形態による引き違い窓１００（サッシ）は、建築物の開口部に設けられ、四角形枠状に形成された枠体１と、枠体１に対して左右方向にスライド可能に設けられた一対の障子２（２Ａ、２Ｂ）と、を備えた２枚建ての引き違い窓を構成している。ここで、屋外側に位置する障子を外障子２Ａといい、屋内側に位置する障子を内障子２Ｂという。
【００１４】
以下の説明において、屋外側と屋内側とを結ぶ方向（壁部に直交する方向、図１では紙面に直交する方向）を屋内外方向とし、建築物の開口部が壁部を貫通する方向（壁部に対向する方向）から見た際の左側と右側を結ぶ水平方向を左右方向とする。また、引き違い窓１００を構成する各部材や部品などは、前記開口部に設けられている姿勢であるものとして、その姿勢における屋内外方向および左右方向を用いて説明する。
【００１５】
枠体１は、左右方向に延在する上枠１１及び下枠１２と、上枠１１の両端部と下枠１２の両端部とをそれぞれ連結し上下方向に延在する一対の縦枠１３と、を有している。以下の説明では、上枠１１、下枠１２及び一対の縦枠１３等の長尺の部材に対してそれぞれが延びる方向を長さ方向ということがある。
本実施形態では、引き違い窓１００はアルミ樹脂複合サッシを対象としている。枠体１は、金属製の縦枠１３に対して金属製の上枠１１及び下枠１２の端部を突き当ててビス等の固定具で固定されている。枠体１は、アルミニウム製の押出成形部材で構成されている。
【００１６】
一対の障子２Ａ、２Ｂは、枠体１の屋外側及び屋内側にそれぞれ設けられている。外障子２Ａ及び内障子２Ｂは、それぞれ障子２Ａ、２Ｂを閉じた状態で、枠体１内を閉塞するように配置されている。各障子２は、四方枠状に形成された框体内に納められた複層ガラス２０と、を有している。
【００１７】
框体は、左右方向に延在する上框２１及び下框２２と、上框２１の両端部と下框２２の両端部とをそれぞれ連結し上下方向に延在する召合せ框２３及び戸先框２４（なお、上框２１、下框２２、召合せ框２３及び戸先框２４のそれぞれを単に「框」と称することがある。）と、を有している。
【００１８】
本実施形態では、框体は、アルミニウム製の押出成形部材で構成されており、屋内側面が樹脂で覆われている。上框２１、下框２２は、召合せ框２３及び戸先框２４に両端部が突き当てられて枠組みされており、ビス等の固定具で固定されている。下框２２には、下枠１２に沿って左右方向に走行可能な戸車（図示省略）が設けられている。
【００１９】
上枠１１は、左右方向に沿って延在し屋内外方向に間隔をあけて設けられる一対のレール案内壁を有している。屋外側の外レール案内壁と屋外側の内レール案内壁の下部分には、それぞれ外障子２Ａと内障子２Ｂの上端が左右方向にスライド自在に案内されるようになっている。
【００２０】
下枠１２は、左右方向に延びる下枠壁部と、下枠壁部から上方に延びるととともに左右方向に沿って延在し屋内外方向に間隔をあけて設けられる一対のレール案内壁と、を有している。屋外側の外レール案内壁と屋外側の内レール案内壁の上部分には、それぞれ外障子２Ａと内障子２Ｂの下端に設けられる戸車（図示省略）が左右方向に走行自在に案内されるようになっている。
【００２１】
図２に示すように、外障子２Ａ及び内障子２Ｂに設けられる複層ガラス２０は、屋外側に配置される外ガラスと屋内側に配置される内ガラスとがスペーサを介して一体に設けられている。
各框２１〜２４には、それぞれ複層ガラス２０の端部を保持するガラス保持部が形成されている。複層ガラス２０の四辺の端部は、ガラス保持部内に嵌め込まれている。複層ガラス２０の周縁部において、屋内側の面は、框に係止された押縁によって押さえられている。
【００２２】
次に、各框２１〜２４について説明するが、外障子２Ａと内障子２Ｂは基本的に同様な構造であるので、本発明の対象となる内障子２Ｂの下框２２と戸先框２４について詳細に説明する。
【００２３】
内障子２Ｂの召合せ框２３は、図２に示すように、外障子２Ａ及び内障子２Ｂが閉じている状態で一対の縦枠１３、１３の間の略中央部に配置されている。戸先框２４は、外障子２Ａ及び内障子２Ｂを閉じている状態で一対の縦枠１３、１３に近接して配置されている。召合せ框２３及び戸先框２４は、図１に示すように、それぞれ上框２１及び下框２２の端面が突き合てられてビス止めされている。
【００２４】
召合せ框２３は、上下方向に沿って延びる外框壁２３１と内框壁２３２とが各面方向を鉛直方向に向けた状態で互いに屋内外方向に間隔をあけて対向して配置されている。
外框壁２３１と内框壁２３２との間には、中空状に形成され、上下方向に延びる框ホロー部Ｓ２３が形成されている。框ホロー部Ｓ２３は、屋外側の外框壁２３１と屋内側の内框壁２３２とを連結する第１連結壁２３３と第２連結壁２３４とにより囲まれた空間を形成している。また、外框壁２３１、内框壁２３２、第１連結壁２３３及び第２連結壁２３４は、召合せ框２３の上下方向の略全長に沿って形成されている。
【００２５】
内障子２Ｂの戸先框２４は、図２乃至図４に示すように、上下方向に沿って延びる外框壁２４１と内框壁２４２とが各面方向を鉛直方向に向けた状態で互いに屋内外方向に間隔をあけて対向して配置されている。外框壁２４１と内框壁２４２との間には、左右方向に仕切る一対の区画壁２４３、２４４が設けられている。区画壁２４３、２４４は、戸先框２４の上下方向の略全長に沿って形成されている。ここで、区画壁は、左右方向の内側を第１区画壁２４３とし、外側を第２区画壁２４４とする。
【００２６】
戸先框２４には、図５及び図６に示すように、下框２２が突き合わされた状態で接続される接続部において、下框２２の戸先側の端部２２ａが当接する第１区画壁２４３の複層ガラス２０側を向く被当接面２４３ａに吸水性を有するシーラー２５が両面テープ、あるいは接着剤により貼着されている。
なお、図５及び図６に示す符号２７は、戸先框２４と下框２２との接合部分の屋内側の角部を保護するための安全キャップである。
【００２７】
内障子２Ｂの下框２２は、図５に示すように、左右方向に沿って延びる外框壁２２１と内框壁２２２とが各面方向を鉛直方向に向けた状態で互いに間隔をあけて対向して配置されている。
外框壁２２１と内框壁２２２との間には、左右方向に延びる中空状の框ホロー部が形成されている。框ホロー部における外框壁２２１と内框壁２２２とを連結する上連結壁２２３の屋外側には、上連結壁２２３上に溜まった雨水を下枠１２側に排水するための水抜き孔２６が形成されている。
【００２８】
シーラー２５は、屋内外方向に分離されている。具体的にシーラー２５は、屋外側で上下方向に延びる屋外側シーラー２５１（屋外側部分）と、屋内側で上下方向に延びる屋内側シーラー２５２（屋内側部分）と、の間に上下方向に延在するスリット部２５Ａが形成されている。シーラー２５としては、例えば厚さ１．２ｍｍのソフトロン（積水化学工業社製）を用いることができる。
【００２９】
シーラー２５には、下框２２の框ホロー部（外框壁２２１、内框壁２２２、上連結壁２２３）の框長さ方向（左右方向）の端部が密接した状態で接続される。
シーラー２５が分離によって形成されるスリット部２５Ａは、図５に示すように、屋内外方向の位置で下框２２に形成される水抜き孔２６と重なっている。
【００３０】
次に、本実施形態による引き違い窓１００の作用について、図面に基づいて詳細に説明する。
図５に示すように、本実施形態による引き違い窓１００では、戸先框２４に設けられるシーラー２５が屋内外方向に分離されているので、戸先框２４の屋外側に雨水が浸入し、屋外側シーラー２５１に吸水された雨水は、屋外側シーラー２５１から屋内側シーラー２５２への移動が遮断され、水密性の向上を図ることができる。そのため、高風圧時においても屋内側シーラー２５２が吸水されにくくなり、その屋内側シーラー２５２から内障子２Ｂの屋内側に雨水が流入することを防止できる。
【００３１】
また、本実施形態では、シーラー２５の屋外側シーラー２５１に吸水された水がシーラー２５を有しないスリット部２５Ａを流下して下框２２の水抜き孔２６に流れ込みやすくなり、その水抜き孔２６より下枠１２に排水することができ、戸先框２４内に浸入した雨水を効率よく下框２２を通じて排水することができる。
【００３２】
このように本実施の形態では、水密性の向上を図ることができ、とくに高風圧時においても屋内への雨水の浸入を防止できる。
【００３３】
以上、本発明によるサッシの実施形態について説明したが、本発明は上記の実施形態に限定されるものではなく、その趣旨を逸脱しない範囲で適宜変更可能である。
【００３４】
例えば、本実施形態では、枠体１の内部の屋外側に設けられた外障子２Ａと、屋内側に設けられた内障子２Ｂと、を有する引き違い窓をサッシの対象としているが、引き違い窓や内障子であることに限定されることはなく、例えば引き戸のようなサッシであってもよい。要は、少なくとも屋内側を可動する１枚の障子を備えたサッシであればよいのである。また、サッシとしては、ガラスを備えた窓であることに制限されることはなく、全面が覆われた障子であってもよい。
【００３５】
また、シーラー２５の取付け位置、形状、長さ寸法、厚さ、数量等の構成は、上述した実施形態に限定されることはなく、任意に設定することができる。例えば、シーラー２５のスリット部２５Ａの幅寸法も適宜設定することが可能である。
【００３６】
また、本実施形態では、シーラー２５が分離によって形成されるスリット部２５Ａが屋内外方向の位置で下框２２に形成される水抜き孔２６と一致していない形態であってもかまわない。
【００３７】
その他、本発明の趣旨を逸脱しない範囲で、上記した実施形態における構成要素を周知の構成要素に置き換えることは適宜可能である。
【符号の説明】
【００３８】
１００  引き違い窓（サッシ）
１  枠体
２  障子
２Ａ  外障子
２Ｂ  内障子
１１  上枠
１２  下枠
１３  縦枠
２１  上框
２２  下框
２３  召合せ框
２４  戸先框
２５  シーラー
２５Ａ  スリット部
２６  水抜き孔
２４３  第１区画壁
【図１】
2020122368.tif 000003
【図２】
2020122368.tif 000004
【図３】
2020122368.tif 000005
【図４】
2020122368.tif 000006
【図５】
2020122368.tif 000007
【図６】
2020122368.tif 000008